(57)【特許請求の範囲】
【請求項１】
パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側部上縁部にはパネルとこのパネルが取付けられる枠との間をシールするシール部が形成され、上記コーナーピースのシール部が上記ビードのシール部を覆うべく適宜長さで延長されていることを特徴とするビード付パネル。
【請求項２】
パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側上縁部にはパネルとこのパネルが取付けられる枠との間をシールするシール部が形成され、上記コーナーピースのシール部が上記ビードのシール部を覆うべく適宜長さで延長されているビード付パネルを形成し、このビード付パネルを枠に取付けてなることを特徴とする戸。
【発明の詳細な説明】
【０００１】
【発明の属する技術分野】
本発明は、パネルの周囲に水・気密用のビードとコーナーピースが装着されたビード付パネルおよびこのビード付パネルが装着された戸に関する。
【０００２】
【従来の技術】
一般に、サッシ等においては、枠（障子の框を含む）にガラスパネルを装着する場合、緩衝および水・気密用としてガラスパネルの周囲にパッキン或いはグレイジングチャンネルなどとも称するビードが嵌合装着される。このビードとしては、断面略溝形のビード本体部を硬質樹脂により形成し、このビード本体部の両側部上縁部にガラスパネルとこのガラスパネルが取付けられる枠との間をシールすべく設けられたシール部を軟質樹脂により形成したものが知られている（実開昭５２−１４５９４６号公報等参照）。このようなビードをガラスパネルの周縁部に嵌合装着する場合、上記シール部をガラスパネルの周方向に連続させて水・気密性を確保するために、例えば図７の（ａ）に示すように、コーナー部においてビード３の端部同士が接合されるようにビード３の端部を略４５度の角度で切断し、その切断端面２５同士を接着剤等で密着接合することが好ましい。
【０００３】
【発明が解決しようとする課題】
しかしながら、上述したようにビードがガラスパネルの周囲に装着されたビード付ガラスパネルあるいはこのビード付ガラスパネルが装着された戸においては、ビードの切断端面２５同士が接着剤等で密着接合されているため、ビードの熱膨張収縮を許容ないし吸収することができず、ビードが熱収縮や経年変化等で収縮した場合、ビードの接合部に応力が集中し、図７の（ｂ）に示すように、切断端面２５間の接合部が剥離して隙間ｓが発生し、水・気密性が低下すると共に、見栄えも悪くなる問題があった。
【０００４】
本発明の目的は、水・気密性を確保しつつビードの熱膨張収縮を許容することができ、見栄えもよいビート付パネルおよび戸を提供することにある。
【０００５】
【課題を解決するための手段】
上記目的を達成するために本発明のうち請求項１記載のビード付パネルは、パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側部上縁部にはパネルとこのパネルが取付けられる枠との間をシールするシール部が形成され、上記コーナーピースのシール部が上記ビードのシール部を覆うべく適宜長さで延長されていることを特徴とする。
【０００６】
請求項２記載の戸は、パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側上縁部にはパネルとこのパネルが取付けられる枠との間をシールするシール部が形成され、上記コーナーピースのシール部が上記ビードのシール部を覆うべく適宜長さで延長されているビード付パネルを形成し、このビード付パネルを枠に取付けてなることを特徴とする。
【０００７】
【実施の形態】
以下に、本発明の実施の形態を添付図面に基づいて詳述する。
【０００８】
図１において、１は窓サッシやテラスサッシ等の戸（障子）の枠（框）に装着されるパネルとして例示した方形のガラスパネルで、このガラスパネル１を上記枠に装着する場合の緩衝および水・気密用として、ガラスパネル１の各コーナー部には断面略溝形でコーナー部に沿った形状のコーナーピース２が嵌合装着され、ガラスパネル１のコーナーピース２，２間の各辺には断面略溝形のビード３が嵌合装着される。上記コーナーピース２およびビード３の両側部上縁部にはガラスパネル１とこのガラスパネル１が取付けられる枠との間をシールする断面鍔状のシール部４，５が形成され、上記コーナーピース２のシール部４が上記ビード３のシール部５を覆うべく適宜長さで延長されている。
【０００９】
上記ガラスパネル１としては、単層のガラスであってもよいが、本実施の形態では、例えば図５ないし図６に示すように一対の板ガラス６を方形枠状のスペーサ７を介して積層した複層ガラスが用いられている。なお、複層ガラスの内部の湿気による曇りを防止するために、上記スペーサ７は中空に成形され、内部に乾燥剤が充填されていてもよい。
【００１０】
上記ビード３は、ガラスパネル１の端面に当接される底部８と、この底部８の両側から立ち上がりガラスパネル１の端縁を収容する溝９を形成する両側部１０とを有する断面略溝形で長尺に連続した硬質のビード本体部１１を有している。このビード本体部１１の両側部１０上縁部には、軟質の上記シール部５が一体的に設けられている。
【００１１】
上記両側部１０の内側には、その上縁部から斜め下方に延出した軟質の延出部１２が形成され、この延出部１２と上記シール部５の内縁部に跨がって積層構造の幅調整板部１３が剥離可能に設けられている。すなわち、上記ビード３は、ガラスパネル１の厚さｔが厚い場合でも、幅調整板部１３を適宜剥離除去することにより適合できるようになっている。なお、ビード３は、必ずしもこのような剥離形式をとらなくてもよい。上記ビード本体部１１は硬質樹脂例えば硬質塩化ビニルにより形成され、シール部５、延出部１２および幅調整板１３は軟質樹脂例えば軟質塩化ビニルにより形成されていることが好ましい。
【００１２】
上記幅調整板１３を含む両シール部５間の開口幅ｗａは、ガラスパネル１の厚さｔとほぼ同じ程度であることがガラスパネル１に対する装着性の点で好ましい。一方、戸の枠１４は、例えばアルミニウム合金の押出形材からなる上枠、下枠および左右の縦枠からなり、ネジで方形に組立てられるように構成されている。上記枠１４の内周には、ガラスパネル１の周縁部をコーナーピース２およびビード３を介して嵌めるためのパネル装着溝１５が設けられている。上記シール部５の直下でビード本体部１１の両側部１０の上縁部外側には枠１４のパネル装着溝１５の縁部に係合する係合溝１６が形成されている。
【００１３】
上記ビード本体部１１の両側部１０は、底部８側の幅ｗｂが上記パネル装着溝１５の開口幅ｗｃよりも小さく、上縁部側の幅ｗｄがパネル装着溝１５の開口幅ｗｃより大きくなるように末広がりのテーパ状に形成されていることが、枠１４に対する装着性の点で好ましい。また、上記形状により、ビード本体部１１をパネル装着溝１５に嵌入すると、ビード本体部１１の両側部１０上縁部間の幅が狭められ、シール部５や延出部１２を介してガラスパネル１を挟持し、確実に固定することが可能となる。ガラスパネル１の下辺に嵌合装着されるビード３の底部８には、水抜き孔１７が適宜形成されていることが好ましい（図６参照）。
【００１４】
上記コーナーピース２は、図２〜図４に示すように、上記ビード３のビード本体部１１と同様に、ガラスパネル１の端面に当接される底部１８と、この底部１８の両側から立ち上がりガラスパネル１の端縁を収容する溝１９を形成する両側部２０とを有する断面略溝形で、且つガラスパネル１のコーナー部に対応した側面Ｌ字状に形成されたコーナーピース本体部２１を有している。このコーナーピース本体部２１の両側部２０上縁部には、上記ビード３のシール部５と同様に、シール部４が一体的に設けられている。このシール部４は、コーナー部に沿って連続した形状、すなわち側面Ｌ字状に形成されている。
【００１５】
上記コーナーピース本体部２１の両側部２０は、底部５側の幅ｗｅが上記パネル装着溝１５の開口幅ｗｃよりも小さく、上縁部側の幅ｗｆがパネル装着溝１４の開口幅ｗｃより大きくなるように末広がりのテーパ状に形成されていることが、枠１４に対する装着性の点で好ましい。また、上記形状により、コーナーピース本体部２１をパネル装着溝１５に嵌入すると、コーナーピース本体部２１の両側部２０上縁部間の幅が狭められ、シール部４を介してガラスパネル１を挟持し、確実に固定することが可能となる。
【００１６】
コーナーピース２のシール部４は、ビード３のシール部５の端側上面部を覆うように、コーナーピース本体部２１の端部から長手方向に適宜長さ例えば２ｃｍ程度延長した延長部２２を有するように形成されている。この延長部２２は、図６に示すように、上記ビード３のシール部５の外側に露出した表面に密着してこれを覆い、内縁部がガラスパネル１の表面に密着し、且つ外縁部が枠１４の表面に密着するような断面形状に形成されている。
【００１７】
上記コーナーピース２のコーナーピース本体部２１およびシール部４は、硬質または半硬質樹脂例えば硬質または半硬質塩化ビニルにより形成されていることが好ましい。また、上記シール部４の延長部２２は、ビード３のシール部５との段差ｈを小さくするために、先端に向って漸次高さが低くなるようにテーパー状に形成されていることが好ましい（図３参照）。
【００１８】
上記コーナーピース２がガラスパネル１から脱落するのを防止するために、コーナーピース２の底部１８内面に両面粘着テープ（図示省略）を貼着してコーナーピース２をガラスパネル１のコーナー部に貼着固定することが好ましい。また、ビード３がガラスパネル１から脱落するのを防止するために、コーナーピース２の底部１８外面にビード３の端側底部８外面を押える例えば硬質樹脂からなる断面Ｌ字状の押え板２３を接着剤等で固定することが好ましい。
【００１９】
次に、上述のように構成されるビード付ガラスパネルおよびこのビード付ガラスパネルを用いた戸の組立方法を説明する。先ず、ガラスパネル１の各コーナー部（四隅）にコーナーピース２を嵌合装着する。この場合、コーナーピース２の底部１８内面に両面粘着テープを貼着してコーナーピース２をガラスパネル１のコーナー部に貼着固定するとよい。
【００２０】
次に、上記ガラスパネル１のコーナーピース２，２間の各辺（四辺）にビード３を嵌合装着する。この場合、ビード３としては、ガラスパネル１のコーナーピース２，２間の各辺の長さに対応する寸法で単に短冊状に切断したものを用いればよく、斜め切断等の加工を要しないため、施工性の向上が図れる。端部同士が突き合わされるコーナーピース２とビード３との間には、ビード３の熱膨張を考慮した適当な隙間が形成されていることが好ましい。
【００２１】
上記ビード３の装着後、コーナーピース２の底部１８外面に押え板２３を接着剤等で固定するとよい。上記コーナーピース２およびビード３の装着作業は、例えば工場で行なわれるが、コーナーピース本体部２１およびビード本体部１１が硬質で末広がりの断面略溝形であるため、軟質で撓みやすいものと異なり、手際よく迅速に行うことができる。上記ガラスパネル１は、硬質のビード本体部１１を有するビード３および硬質のコーナーピース本体部２１を有するコーナーピース２によって周囲が保護されるため、安全で、運搬、保管、取扱いが容易である。また、コーナーピース２がガラスパネル１のコーナー部に両面粘着テープにより貼着固定されると共に、ビード３の両端部が押え板２３により押えられるため、ビード付ガラスパネルの運搬時や保管時に振動等でコーナーピース２およびビード３が脱落することがない。
【００２２】
そして、上記ビード付ガラスパネルを用いて戸を組立る場合には、コーナーピース２およびビード３を介してガラスパネル１の四辺に上枠、下枠および左右の縦枠をそれぞれのパネル装着溝１５を嵌合させて組み付け、枠１４を組立てればよい。このような組立作業は、例えば販売店等で行われるが、予めガラスパネル１にコーナーピース２およびビード３が装着されており、しかもコーナーピース本体部２１よびビード本体部１１の両側部２０，１０が末広がりのテーパ状に形成され、かつ硬質で円滑に枠１４のパネル装着溝１５に嵌入できるため、組立作業を迅速容易に行うことができ、施工性の向上が図れる。
【００２３】
このように上記ビード付パネルによれば、ガラスパネル１の各コーナー部に断面略溝形でコーナー部に沿った形状のコーナーピース２を嵌合装着すると共に、上記ガラスパネル１のコーナーピース２，２間の各辺に断面略溝形のビード３を嵌合装着するため、ガラスパネル１の周囲が保護され、安全で、運搬、保管、取扱いが容易にできる。また、ビード３は、短冊状に切断するだけでよいため、施工性の向上が図れる。
【００２４】
更に、上記コーナーピース２およびビード３の両側部２０，１０上縁部にはガラスパネル１とこのガラスパネル１が取付けられる枠１４との間をシールするシール部４，５が形成され、上記コーナーピース２のシール部４が上記ビード３のシール部５を覆うべく適宜長さで延長されているため、水・気密性を確保しつつビード３の熱膨張収縮を許容することができる。すなわち、コーナーピース２のシール部４がビード３のシール部５にラップしているため、ビード３が熱膨張収縮を起こしたとしても、シール部４，５がガラスパネル１の周方向につながった状態にあり、従って水・気密性が損われることがない。また、コーナーピース２のシール部４の延長部２２によりビード３とコーナーピース２との間の隙間を覆い隠すことができて見栄えがよく、外観の向上が図れる。
【００２５】
このようにビード付ガラスパネルを予め形成しておくことにより、ビード付ガラスパネルを用いて構成される戸を手際よく組立てることができ、施工性の向上が図れる。そして、上記戸によれば、上記ビード付ガラスパネルを枠１４に取付けてなるため、ビード３の熱膨張収縮を許容することができ、水・気密性が高く、しかも見栄えのよい戸が得られる。
【００２６】
以上、本発明の実施の形態を図面により詳述してきたが、本発明は上記実施の形態に限定されるものではなく、本発明の要旨を逸脱しない範囲での種々の設計変更等が可能である。例えば、パネルとしては、ガラスパネル以外に、例えば樹脂製や金属製等のパネルも含まれる。また、戸としては、障子以外に、例えばドア等も含まれる。コーナーピースとしては、硬質または半硬質であることが好ましいが、軟質であってもよい。更に、予めビード付パネルを組立ておいて、保管等する場合には、コーナーピースやビードが脱落しないように両面粘着テープや押え板を用いて固定しておくことが好ましいが、戸の組立を同時に行なう場合には、枠でコーナーピースやビードの脱落を防止できるので、両面粘着テープや押え板は必ずしも必要とされるものではない。
【００２７】
【発明の効果】
以上要するに本発明によれば、次のような優れた効果が得られる。
【００２８】
（１）請求項１記載のビード付パネルによれば、パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側部上縁部にはパネルとこのパネルが取付けられる枠との間をシールするシール部が形成され、上記コーナーピースのシール部が上記ビードのシール部を覆うべく適宜長さで延長されているため、水・気密性を確保しつつビードの熱膨張収縮を許容することができると共に見栄えもよい。
【００２９】
（２）請求項２記載の戸によれば、パネルの各コーナー部に断面略溝形でコーナー部に沿った形状のコーナーピースを嵌合装着すると共に、上記パネルのコーナーピース間の各辺に断面略溝形のビードを嵌合装着し、上記コーナーピースおよびビードの両側上縁部にはパネルとこのパネルが取付けられる枠との間をシールするシール部が形成され、上記コーナーピースのシール部が上記ビードのシール部を覆うべく適宜長さで延長されているビード付パネルを形成し、このビード付パネルを枠に取付けてなるため、ビードの熱膨張収縮を許容することができ、水・気密性が高く、しかも見栄えのよい戸が得られる。
【図面の簡単な説明】
【図１】本発明の実施の形態を示すビード付ガラスパネルの正面図である。
【図２】コーナーピースを概略的に示す斜視図である。
【図３】コーナーピースを具体的に示す側面図である。
【図４】図３のＡ−Ａ線拡大断面図である。
【図５】ビードの断面構造を示す拡大断面図である。
【図６】ビード付ガラスパネルを用いて組立てられた戸の部分的断面図である。
【図７】従来技術の問題点を説明する説明図である。
【符号の説明】
１  ガラスパネル（パネル）
２  コーナーピース
３  ビード
４，５  シール部
１４  枠
【図１】
0003594750.tif 000002
【図２】
0003594750.tif 000003
【図３】
0003594750.tif 000004
【図４】
0003594750.tif 000005
【図５】
0003594750.tif 000006
【図６】
0003594750.tif 000007
【図７】
0003594750.tif 000008